(57)【要約】【課題】リップを設けたことによる飛距離の低下等のデメリットを軽減する。【解決手段】リップ９の裏面１３側には下方に向かって互いに近づく方向に傾斜する一対の傾斜側面１５Ｓ、１５Ｓが設けられており、そこにそれぞれボルテックスジェネレータとして突条１９、２１を一体的に設けて、キャスティング時に傾斜側面１５Ｓ、１５Ｓに沿って流れる空気流を乱流化してリップ９の近傍に細かな渦Ｕ１を発生させる。これにより、リップ９を左右にブレさせるような大きな渦Ｕ２は離れたところに発生することになり、キャスティング時におけるルアーボディ３の暴れを効果的に抑えることができる。しかも、傾斜側面１５Ｓに突条１９、２１を設けているので、リップ９のキャスティング方向の投影面積分の空気抵抗を増やさないものに設計できる。【選択図】  図２
2020048512.tif 000002
【特許請求の範囲】
【請求項１】
ボディにリップが設けられたルアーであって、
前記リップの裏面には下方にいくほど対向側に向かって近づくよう傾斜した傾斜側面が設けられ、且つ前記傾斜側面からは突起が隆起しており、この突起がボルテックスジェネレータとして作用し、キャスティング時に前記傾斜側面に沿って流れる空気流の流れ方向先側を乱流化して前記リップの近傍に細かな渦を発生させることを特徴とするルアー。
【請求項２】
請求項１に記載したルアーにおいて、
突起は長さ成分を有する突条になっており、キャスティング姿勢に対して長さ方向がほぼ平行になる位置に設けられていることを特徴とするルアー。
【請求項３】
請求項２に記載したルアーにおいて、
突条は、キャスティング時における空気流の流れ方向先側が総じて太く、後側が総じて細くなっていることを特徴とするルアー。
【請求項４】
請求項２または３に記載したルアーにおいて、
突条は、複数互いに平行に列設されていることを特徴とするルアー。
【請求項５】
請求項１から４のいずれかに記載したルアーにおいて、
突条は、リップの表面側から見て、前記リップの外形輪郭から外方にはみ出していないことを特徴とするルアー。
【請求項６】
請求項１から５のいずれかに記載したルアーにおいて、
傾斜側面は対向して一対設けられていることを特徴とするルアー。
【請求項７】
請求項１から６のいずれかに記載したルアーにおいて、
ボティとリップは一体成形品であることを特徴とするルアー。
【発明の詳細な説明】
【技術分野】
【０００１】
本発明は、魚釣りに用いるルアーに関するものである。
【背景技術】
【０００２】
ルアーのボディは魚等に似せて形成されたものであり、このルアーボディの前端部にリップ（水流抵抗板）が備えられたものがある。リップに水流抵抗を受けさせることで、ルアーが所望の深さまで潜行すると共に、魚に類似の泳ぎのアクションをルアーに起こさせることができるようになっている。
而して、リップはボディの下側から突出するように設けられているので、ルアーをキャスティングするときには、リップの裏面で空気抵抗を受ける。
【０００３】
この空気抵抗が大きくなると、ルアーの飛距離を十分に出すことができないだけでなく、ボディが暴れ易く飛行姿勢が安定しないため、その飛行姿勢の不安定化が飛距離にも更に悪影響を与えると共に、ルアーを目的のポイントに向けてキャスティングすることが難しくなる。
そこで、特許文献１では、ルアーボディの側面形状に着目して、リップからルアーボディに至る外形ラインを連続的に形成することが提案されているが、側面形状側からの工夫には限界がある。
【先行技術文献】
【特許文献】
【０００４】
【特許文献１】特開平８−２０５７１３号公報
【発明の概要】
【発明が解決しようとする課題】
【０００５】
リップのキャスティング方向の投影面積分の空気抵抗は仕方がないとしても、ボディが暴れればその分だけ投影面積が余計に増えて空気抵抗も一層増大する。
本発明は上記従来の問題点に着目して為されたものであり、リップの本来的に期待されている潜行性能及び遊泳性能を極力損なわずに、キャスティング時におけるボディの暴れを効果的に抑えることができるよう工夫された、新規且つ有用なルアーを提供することを、その目的とする。
【課題を解決するための手段】
【０００６】
本発明は上記課題を解決するためになされたものであり、請求項１の発明は、ボディにリップが設けられたルアーであって、前記リップの裏面には下方にいくほど対向側に向かって近づくよう傾斜した傾斜側面が設けられ、且つ前記傾斜側面からは突起が隆起しており、この突起がボルテックスジェネレータとして作用し、キャスティング時に前記傾斜側面に沿って流れる空気流の流れ方向先側を乱流化して前記リップの近傍に細かな渦を発生させることを特徴とするルアーである。
【０００７】
請求項２の発明は、請求項１に記載したルアーにおいて、突起は長さ成分を有する突条になっており、キャスティング姿勢に対して長さ方向がほぼ平行になる位置に設けられていることを特徴とするルアーである。
【０００８】
請求項３の発明は、請求項２に記載したルアーにおいて、突条は、キャスティング時における空気流の流れ方向先側が総じて太く、後側が総じて細くなっていることを特徴とするルアーである。
【０００９】
請求項４の発明は、請求項２または３に記載したルアーにおいて、突条は、複数互いに平行に列設されていることを特徴とするルアーである。
【００１０】
請求項５の発明は、請求項１から４のいずれかに記載したルアーにおいて、突条は、リップの表面側から見て、前記リップの外形輪郭から外方にはみ出していないことを特徴とするルアーである。
【００１１】
請求項６の発明は、請求項１から５のいずれかに記載したルアーにおいて、傾斜側面は対向して一対設けられていることを特徴とするルアーである。
【００１２】
請求項７の発明は、請求項１から６のいずれかに記載したルアーにおいて、ボティとリップは一体成形品であることを特徴とするルアーである。
【発明の効果】
【００１３】
本発明のルアーによれば、リップの本来的に期待されている潜行性能及び遊泳性能を極力損なわずに、キャスティング時におけるボディの暴れを効果的に抑えることができる。
【図面の簡単な説明】
【００１４】
【図１】本発明の第１の実施の形態に係るミノータイプのルアーの全体側面図である。
【図２】図１の拡大図である。
【図３】図１のリップの前面図である。
【図４】図１のリップの裏面側から見える斜視図である。
【図５】図１のリップの裏面図である。
【図６】図２の突条部分の拡大斜視図である。
【図７】図６の断面図である。
【図８】本発明の第２の実施の形態に係るクランクタイプのルアーの全体側面図である。
【図９】本発明の第３の実施の形態に係るホッパータイプのルアーの全体側面図である。
【発明を実施するための形態】
【００１５】
本発明の第１の実施の形態に係るミノータイプのルアー１について、図面にしたがって説明する。
図１、図２に示すように、このルアー１はＡＢＳ樹脂の一体成形品で構成されている。ボディ３は、小魚の形状に似せて形成されており、腹側には、フックアイ（固定リング）５が２箇所に取付けられ、更に尾側にも、フックアイ（固定リング）５が取付けられている。このフックアイ５は魚を釣るための錨針（図示省略）が回動自在に連結される。ボディ３の頭部上面には、ラインアイ（固定リング）７が取付けられている。このラインアイ７は釣糸（図示省略）が結び付けられる。
【００１６】
リップ９がボディ３のルアーボディの前端部に一体的に設けられている。このリップ９の外形輪郭は舌状で、ボディ３の頭部より先方に向かって突出しており、この突出長さ方向に直交する左右方向では対称になっている。リップ９は全体として見ると、先方にいくほど下方に下がっている。
リップ９は、表面１１と裏面１３とで構成されている。
【００１７】
図３に示すように、リップ９の表面１１はフラットになっている。
リップ９は厚みを有しており、図４、図５に示すように、裏面１３は、厚みをなす側面１５と底面１７とでなる。
側面１５は表面１１の境界でリップ９の外形輪郭９Ａを構成しており、Ｕ字状に拡がっている。側面１５は底面１７を小さくする方向に傾斜して傾斜側面になっており、その傾斜分だけ底面１７の断面積は表面１１より小さくなっている。
【００１８】
側面１５は左右方向では下方にいくほど互いに近づくように平面状に傾斜しており、一対の傾斜側面１５Ｓ、１５Ｓになって対向する。そして、平面状になった左右両側の傾斜側面１５Ｓ、１５Ｓと表面１１との境界がエッジ状になっている。
Ｕ字状の側面１５で囲まれた底面１７は中心に向かって略円弧状に僅かに膨らんだ円弧底面になっている。
【００１９】
リップ９の左右の傾斜側面１５Ｓ、１５Ｓに、それぞれ、隆起部分があり、突条１９、２１になっている。
ボルテックスジェネレータ（Vortex Generator）は、意図的に乱流を生じさせることで、境界層剥離を抑え、空気抵抗を減らす効果があることから、飛行機の翼等に取付けて、飛行を安定化させている。
本発明では、同様の効果を期待して、ボルテックスジェネレータとして突条１９、２１が設けられている。但し、ルアー１には、潜行性能及び遊泳性能が要求されるため、これらの性能を損なわないように形状的工夫が凝らされている。
【００２０】
突条１９、２１は、傾斜側面１５Ｓから外方に隆起しており、両側の傾斜側面１５Ｓ、１５Ｓに、左右対称となるようにそれぞれ設けられている。
突条１９、２１は、キャスティング姿勢に対してほぼ平行に伸長するように位置決めされており、一つの傾斜側面１５Ｓに対して、互いに平行に列設されている。
突条１９、２１は傾斜側面１５Ｓの縁ぎりぎりまで伸長しており、傾斜側面１５Ｓは側面視では下方に向かって収束するので、上側に位置する突条１９が下側に位置する突条２１よりも長く伸長している。
【００２１】
突条１９、２１は、図６、図７に示すように、傾斜側面１５Ｓから直交方向外方に向かって突出している。突条１９、２１の長さ方向に直交する幅方向では断面山状で頂部を中心にほぼ対称になっており、頂部は丸みが付けられている。
突条１９、２１は突条の長さ方向全長にわたって同形状ではなく、中間に最も太い部分、すなわち幅寸法（Ｗ）及び高さ寸法（Ｈ）が共に最も大きい極太部１９Ａ、２１Ａがきて、そこを基点として前後方向に徐々に収束しながら伸長しており、リップ９の突出方向先側が総じて太く、後側が総じて細くなっている。突条１９、２１の長さ方向の両端部は丸みのある段差を介してボディ３側に連なっている。
【００２２】
上記のように突条１９、２１は、傾斜側面１５Ｓから外方にむかって突出しているが、表面方向から見て、リップ９の外形輪郭９Ａからはみ出していない。
この実施の形態における突条１９、２１の寸法設計は、一例であるが、長さ寸法（Ｌ）が４．２ｍｍと５．８ｍｍで上側に設けられた突条１９が長くなっている。最大高さ寸法（Ｈ）は０．５ｍｍで、最大幅寸法（Ｗ）が０．７ｍｍになっている。リップ９やボディ３との寸法関係については、図面から想像されたい。
【００２３】
リップがボディと一体に成形されている場合には、軽量化を優先して素材が樹脂となる場合が多いため、強度確保のために、リップ側にある程度の厚みを持たせている場合が多く、その場合には裏面の一部としてある程度の幅寸法の側面がリップの外形に現れる。
本発明では、この側面をボルテックスジェネレータである突条１９、２１の取付け部位として利用している。特に、側面を平行面ではなく傾斜面とした上で取付け部位として利用しているので、複数の突条１９、２１の取付け面積を十分に確保できると共に、結果的にできたエッジ部分によって空気を切り易くなっている。
【００２４】
そして、ルアー１用として有利なことに、突条１９、２１を平面状の傾斜側面１５Ｓに設けているので、リップ９のキャスティング方向の投影面積を増やさない方向で、ボルテックスジェネレータを設けることが可能となる。
この実施の形態のルアー１では、上記したように、ボルテックスジェネレータとしての突条１９、２１は、表面方向から見て、リップ９の外形輪郭９Ａから外方にはみ出しておらず、リップ９のキャスティング方向の投影面積は増大していない。
【００２５】
また、突条１９、２１は、上記したように、長さ方向に対して断面が異形になっている。
キャスティング時にはリップ９の裏面１３に沿って空気流が流れて、表面１１側に回り込むように大きな渦が発生し、この大きな渦によってリップ９が左右にぶれる、すなわちルアー１が暴れる原因となっている。
しかしながら、図２、図４に示すように、このリップ９では、突条１９、２１が設けられており、空気流は流れ方向先側にある突条の端部１９Ｂ、２１Ｂの近傍、すなわちリップ９の近傍で乱流化して細かな渦Ｕ１が発生し、大きな渦Ｕ２はリップ９から離れたところで発生するようになっている。大きな渦Ｕ２がリップ９から離れた箇所で発生すれば、リップ９に与える影響力は弱く、左右へのぶれが抑えられる。従って、ルアー１の飛行姿勢が安定する。
【００２６】
ルアー１のリトリーブ時には、水流は流れ方向先側にある突条の端部１９Ｂ、２１Ｂの近傍、すなわちリップ９の近傍でも、上記と同様な細かな渦Ｕ１が発生するが、流れの方向がキャスティング時とは反対になっているので、今度は細くなった側の端部１９Ｃ、２１Ｃの近傍に発生する。
細かな渦Ｕ１はリップ９の動きを規制する方向に作用するが、この細かな渦Ｕ１は、太くなった側の端部１９Ｂ、２１Ｂの近傍よりも細くなった側の端部１９Ｃ、２１Ｃの近傍の方が弱く発生する。従って、リップ９に与える影響力も弱くなっており、ルアー１のリトリーブ時の動きは殆ど規制されず、潜行性能及び遊泳性能には殆ど悪影響を与えない。
【００２７】
図８は、本発明の第２の実施の形態に係るクランクタイプのルアー２３を示す。
このリップ２５にも、第１の実施の形態と同様な設計指針で、ボルテックスジェネレータとして突条２７、２９が設けられている。
図９は、本発明の第３の実施の形態に係るポッパータイプのルアー３１を示す。このリップ３３にも、第１の実施の形態と同様な設計指針で、ボルテックスジェネレータとして突条３５、３７が設けられている。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、同じタイプのルアーでも、形状や大きさは異なっており、リップは傾斜側面を備えれば、その他の形状・大きさ的条件は課されず、自由に設計できる。その中には、裏面を曲凸面にしたものや左右非対称にするものも含まれる。
また、ボルテックスジェネレータは、上記の実施の形態ではいずれも片側２本タイプになっており、本数を増やせばその効果も増大するが、リップの重量増による負の影響も出てくるので、現在市販されている大きさのリップ付きルアーでは、片側２〜３本タイプが推奨される。
更に、ラインアイをリップ側に設けるなどの設計の変更も含まれる。
【符号の説明】
【００２９】
１…ミノータイプのルアー  ３…ボディ                ５…フックアイ
７…ラインアイ            ９…リップ                ９Ａ…（リップの）外形輪郭
１１…（リップの）表面    １３…（リップの）裏面    １５…（裏面の）側面
１５Ｓ…左右の傾斜側面    １７…（裏面の）円弧底面  １９、２１…突条
１９Ａ、２１Ａ…（突条の）極太部          １９Ｂ、２１Ｂ…（突条の）一方の端部
１９Ｃ、２１Ｃ…（突条の）他方の端部      ２３…クランクタイプのルアー
２５…リップ              ２７、２９…突条          ３１…ポッパータイプのルアー
３３…リップ              ３５、３７…突条
Ｕ１、Ｕ２…渦
【図１】
2020048512.tif 000003
【図２】
2020048512.tif 000004
【図３】
2020048512.tif 000005
【図４】
2020048512.tif 000006
【図５】
2020048512.tif 000007
【図６】
2020048512.tif 000008
【図７】
2020048512.tif 000009
【図８】
2020048512.tif 000010
【図９】
2020048512.tif 000011